(57)【特許請求の範囲】
【請求項１】
浴槽載置用の防水パンと、この防水パンに載置される浴槽と、この浴槽の洗い場に面する前面を覆うエプロン部材とを備え、上記の防水パンの洗い場側以外の周囲の囲い壁が浴槽とほぼ同じ高さに形成され、この囲い壁で浴槽の周囲が塞がれる浴室ユニットであって、上記の浴槽の洗い場側以外のフランジ部を受ける枠部材と、この枠部材を支持する柱材を備え、上記の枠部材の上面の外側に、側壁パネルの下端を係合させる壁載せ部が形成され、この壁載せ部の内側にあたる枠部材の上面位置に、浴槽のフランジ部の立ち下げ片を係合させる浴槽用の係合部が形成され、この浴槽用の係合部の内側にあたる枠部材の上面位置に、防水パンの囲い壁の上端を係合させる防水パン用の係合部が形成され、また上記の柱材が、エプロン部材の両側に左右一対状に設けられ、この柱材に枠部材の洗い場側の端部と、エプロン部材の側端とが接続され、この柱材の上端面が、枠部材の上面と面一に連続する連続面状に形成されていることを特徴とする浴室ユニット。
【請求項２】
請求項１記載の浴室ユニットであって、浴槽が、フランジ部の裏面の立ち下げ片の内側位置に、防水パンの囲い壁の上端部を枠部材に水密状に取り付けるための垂下片を備えて形成されていることを特徴とする浴室ユニット。
【請求項３】
請求項１又は２記載の浴室ユニットであって、壁載せ部が、浴槽用の係合部、防水パン用の係合部より高く位置決めされていることを特徴とする浴室ユニット。
【請求項４】
請求項１乃至３の何れかに記載の浴室ユニットであって、浴槽用の係合部に、浴槽のフランジ部の立ち下げ片の下端が嵌合する凹部が形成されていることを特徴とする浴室ユニット。
【発明の詳細な説明】
【技術分野】
【０００１】
本発明は、浴室ユニットに関し、更に詳しくは深底形に形成された浴槽載置用の防水パンを備えてなる浴室ユニットに関するものである。
【背景技術】
【０００２】
従来この種の浴室ユニットとしては、例えば本出願人の提案に係る特許文献１に記載されている発明がある。
この従来品は、浴槽載置用の防水パンと、この防水パンに載置される浴槽と、この浴槽を支持するため防水パンの下側に設けられる支持部材とを備え、上記の防水パンの周囲の洗い場側以外の囲い壁が浴槽とほぼ同じ高さに形成され、上記の浴槽の洗い場側以外のフランジ部に、側壁パネルを設置するための壁載せ部が形成されているものである。
【０００３】
ところでこの種の浴室ユニットは、深底形の防水パンによって浴槽周りに発生する臭気の散逸を防止でき、浴槽の湯を保温できるという利点がある。また防水パンが軟質材で形成される場合は、施工時等に衝撃を受けても壊れ難く、樹脂シート等の軟質材によれば、防水パンの軽量化、低コスト化、施工の容易化を、一層、図ることができるものである。
しかしながら従来品は、上記の通り、浴槽のフランジ部に壁載せ部が形成され、この壁載せ部に側壁パネルの下端を水密状に取り付けて浴槽周りに壁を構築するものであった。
従って従来品の場合は、例えば浴槽を交換するとき、側壁パネルを含めて解体する必要があったから、従来品によると、作業に手間暇がかかり、廃材が多く出て交換部品数が多くなる、という問題点があった。
而して従来、深底形防水パンの囲い壁の上端部に壁載せ部を形成し、防水パンで側壁パネルを支持するよう形成しているものもある（例えば特許文献２参照）。
しかしながらこの場合は、側壁パネルの重量が防水パンの囲い壁に加わるため、囲い壁を厚く堅固に形成する必要があった。従ってこれによると、防水パンのコストが高くなるのを避けられず、また軟質材製の防水パンを使用することができない、という問題点があった。
また従来、軟質材製の防水パンで浴槽の外周面を塞ぐ場合は、防水パンの囲い壁の上端部や浴槽のフランジ部の周りのシールド作業が不便で、簡便にできないことが多かった。
【特許文献１】特開２００７−９２３４６号公報
【特許文献２】特開２００７−１９０２９４号公報
【発明の開示】
【発明が解決しようとする課題】
【０００４】
本発明は、このような従来品の問題点に鑑み、提案されたものである。
従って本発明の解決しようとする技術的課題は、深底形の防水パンを備えた浴室ユニットにおいて、浴槽の周りの側壁パネルを解体することなく、浴槽の交換等を可能にし、また強度の低い防水パンや軟質材製の防水パンの使用を可能にすると共に、防水パンと浴槽とのシールド作業を、簡便、確実に行なうことができるよう形成した浴室ユニットを提供することにある。
【課題を解決するための手段】
【０００５】
本発明は、上記の課題を解決するため、次のような技術的手段を採る。
即ち本発明は、図１、図２、図６等に示されるように、浴槽２載置用の防水パン１と、この防水パン１に載置される浴槽２と、この浴槽２の洗い場３に面する前面を覆うエプロン部材４とを備え、上記の防水パン１の洗い場３側以外の周囲の囲い壁１ａが浴槽２とほぼ同じ高さに形成され、この囲い壁１ａで浴槽２の周囲が塞がれる浴室ユニットであって、上記の浴槽２の洗い場３側以外のフランジ部２ａを受ける枠部材５と、この枠部材５を支持する柱材６を備え、上記の枠部材５の上面の外側に、側壁パネル７の下端を係合させる壁載せ部５ａが形成され、この壁載せ部５ａの内側にあたる枠部材５の上面位置に、浴槽２のフランジ部２ａの立ち下げ片２ｂを係合させる浴槽２用の係合部５ｂが形成され、この浴槽２用の係合部５ｂの内側にあたる枠部材５の上面位置に、防水パン１の囲い壁１ａの上端部を係合させる防水パン１用の係合部５ｃが形成され、また上記の柱材６が、エプロン部材４の両側に左右一対状に設けられ、この柱材６に枠部材５の洗い場３側の端部と、エプロン部材４の側端とが接続され、この柱材６の上端面６ａが、枠部材５の上面と面一に連続する連続面状に形成されていることを特徴とする（請求項１）。
【０００６】
本発明の場合、枠部材５の形状は、浴槽２の外形に準拠する。従って浴槽２が、例えば平面視で長方形等の矩形の場合は、枠部材５も平面視で略コの字形に形成される。
【０００７】
而して本発明は、図１Ｂに示されるように、浴槽２が、フランジ部２ａの裏面の立ち下げ片２ｂの内側位置に、防水パン１の囲い壁１ａの上端部を枠部材５に水密状に取り付けるための垂下片２ｃを備えて形成されているのが好ましい（請求項２）。
なぜならこれによると、垂下片２ｃを利用して防水パン１の囲い壁１ａの上端部を枠部材５に水密状に接続でき、より確実にシールドできるからである。
【０００８】
また本発明の場合、上記の壁載せ部５ａは、図１Ｂ、図７に示されるように、浴槽２用の係合部５ｂ、防水パン１用の係合部５ｃより高く位置決めされているのが好ましい（請求項３）。
なぜならこれによると、浴槽２から溢れる水や、側壁パネル７を伝わり落ちる水が浴室外に流れ出にくくなり、浴槽２周りの水密性を向上できるからである。
【０００９】
また本発明は、図７に示されるように、浴槽２用の係合部５ｂに、浴槽２のフランジ部２ａの立ち下げ片２ｂの下端が嵌合する凹部５ｂ１が形成されているのが好ましい（請求項４）。
【００１０】
なぜならこれによると、浴槽２の位置ずれを防止でき、施工し易くなり、また浴槽２のフランジ部２ａの立ち下げ片２ｂの下端を堅固に係合できるからである。
【発明の効果】
【００１１】
本発明は、このように深底形の防水パンを備えた浴室ユニットにおいて、浴槽の洗い場側以外のフランジ部を受ける枠部材と、この枠部材を支持する柱材とを備え、上記の枠部材の上面に、外側から内側に向かって順に、壁載せ部、浴槽用の係合部、防水パン用の係合部が形成され、また上記の柱材が、エプロン部材の両側に左右一対状に設けられ、この柱材に枠部材の洗い場側の端部と、エプロン部材の側端とが接続され、この柱材の上端面が、枠部材の上面と面一に連続する連続面状に形成されているものである。
【００１２】
従って本発明の場合は、浴槽の交換等の際に、側壁パネルを枠部材から取り外すことなく、交換部品が少ない状態で工事を行なうことができる。
また本発明の場合は、枠部材を介して柱材で側壁パネルを支持できるから、これによれば軽量、薄型の防水パンや、軟質材製の防水パンの使用が可能になる。
また本発明は、枠部材に、浴槽のフランジ部と共に、防水パンの囲い壁の上端部を係合させて水密状に取り付けることができる。従ってこれによれば、浴槽のフランジ部と深底形の防水パンとを、簡単な構造で且つ少ない部品で低コストに、また面接触させて水密性を高めた状態で接続することができる。
また本発明によると、柱材によってエプロン部材の取り付けや、枠部材の支持が可能になるだけではなく、枠部材の上面に浸入する水を、柱材の上端面から柱材を伝わらせて洗い場に整然と且つ円滑に導いて排水できる。
【発明を実施するための最良の形態】
【００１３】
以下、本発明を実施するための最良の形態を説明する。
本発明は、図１等に示されるように、浴槽２載置用の防水パン１と、この防水パン１に載置される浴槽２と、この浴槽２の洗い場３に面する前面を覆うエプロン部材４とを備えている。防水パン１は、この実施形態では薄板で形成され、洗い場３側以外の周囲の囲い壁１ａは浴槽２とほぼ同じ高さに形成されている。浴槽２の周囲は、この囲い壁１ａで塞がれるものである。
【００１４】
また本発明は、上記の浴槽２の洗い場３側以外のフランジ部２ａを受ける枠部材５と、この枠部材５を支持する柱材６を備えて形成されている。枠部材５は、この実施形態では長方形の浴槽２に合わせ、平面視でほぼコの字形に形成されている。
【００１５】
また枠部材５は、上面の外側に、側壁パネル７の下端を係合させる壁載せ部５ａが形成されている。そして本発明は、この壁載せ部５ａの内側にあたる枠部材５の上面位置に、浴槽２のフランジ部２ａの立ち下げ片２ｂを係合させる浴槽２用の係合部５ｂが形成されている。またこの浴槽２用の係合部５ｂの内側にあたる枠部材５の上面位置に、この実施形態では防水パン１の囲い壁１ａの上端部の厚さ分だけ低くして、囲い壁１ａの上端部を係合させる防水パン１用の係合部５ｃが形成されている。
【００１６】
この場合、枠部材５の上面は、この実施形態では壁載せ部５ａが一番高く形成され、次に浴槽２用の係合部５ｂ、そして防水パン１用の係合部５ｃの順に低くなるよう、ほぼ階段状に形成されている。従ってこの実施形態の場合は、防水パン１用の係合部５ｃが浴槽２用の係合部５ｂより低いため、囲い壁１ａの上端部を防水パン１用の係合部５ｃに、浴槽２のフランジ部２ａより先に接続しても、浴槽２のフランジ部２ａの接続に支障を来たすことがない。
なお枠部材５の上面は、洗い場３側に水を逃すことができるよう、洗い場３側の左右の端部に向かって下り勾配に形成されている。
【００１７】
また浴槽２は、図１Ｂ、図４に示されるように、フランジ部２ａの裏面の立ち下げ片２ｂの内側位置に、防水パン１の囲い壁１ａの上端部と枠部材５とを水密状に取り付けるための垂下片２ｃを備えて形成されている。フランジ部２ａの立ち下げ片２ｂは、例えばその外面が、浴槽２用の係合部５ｂの垂直面に水密状に接続される。また囲い壁１ａの上端部は、防水パン１用の係合部５ｃに水密状に接続されると共に、垂下片２ｃの下端に当接し、浴槽２のフランジ部２ａの重みも利用して枠部材５に水密状に取り付けられる。垂下片２ｃは、この実施形態では浴槽２のフランジ部２ａの立ち下げ片２ｂに平行して、この立ち下げ片２ｂと二列状になるよう、長く延びて形成されている。
【００１８】
また上記の柱材６は、図２等に示されるように、エプロン部材４の両側に左右一対状に設けられている。上記の枠部材５の洗い場３側の端部と、エプロン部材４の側端は、この柱材６に接続される。また図６等に示されるように、この柱材６の上端面６ａは、枠部材５の上面と面一に連続する連続面状に形成されている。
【００１９】
８（図２参照）は、防水パン１を介して浴槽２を支持する支持部材である。この支持部材８は、図３に示されるように、浴槽２の脚２ｄの真下に設けられ、この実施形態では平面視でコの字形に形成されている。
【００２０】
また１ｂ（図２、図３、図５参照）は、上記の支持部材８を嵌合させる、平面視コの字形の嵌合部である。この嵌合部１ｂは、底面から突き上げられて凸段差状に、底面と共に一体成形法により形成されている。浴槽２の脚２ｄは、図３に示されるように、上記の嵌合部１ｂに上から嵌合する凹段差部２ｅが下端に形成されている。
【００２１】
なお９（図２、図３等参照）は、防水パン１の底面に設けられている点検口部である。この点検口部９は、蓋式に形成され、嵌合部１ｂで囲まれた底面の位置に設けられている。この実施形態の場合、点検口部９は、周囲より一段高い凸段差状の嵌合部１ｂの内側に設けられているため、点検口部９の水密性を高く維持できるものである。
【００２２】
次にこの実施形態に係る本発明品の施工例を、図２等に従って説明する。
先ず作業者は、枠部材５の洗い場３側の端部と柱材６とを接続し、浴槽２の前面の左右側に柱材６を立て、枠部材５を配置する。
【００２３】
次に作業者は、防水パン１の囲い壁１ａの上端部を枠部材５の防水パン１用の係合部５ｃに係合させて水密状に取り付け、防水パン１を設置する。また作業者は、浴槽２のフランジ部２ａの立ち下げ片２ｂを枠部材５の浴槽２用の係合部５ｂに係合させて水密状に取り付け、浴槽２を設置する。その後、作業者は、側壁パネル７（図１Ａ参照）の下端を枠部材５の壁載せ部５ａ（図１Ｂ参照）に係合させ、浴槽２回りに壁を構築する。そして柱材６にエプロン部材４の両側端を接続する。
【００２４】
而してこの実施形態の本発明の場合、浴槽２や湯の重量は、浴槽２の脚２ｄを介して防水パン１の下側の支持部材８で支持され、側壁パネル７の重量は、防水パン１の囲い壁１ａと、上記の柱材６で支持される。なお、図示は省略するが、作業者は、囲い壁１ａの上部と支持部材８とを接続する補強材を、必要に応じて適当な位置に追加しても良い。
【００２５】
また本発明の場合、枠部材５の上面に浸入した水は、枠部材５の上面から柱材６の上端面６ａを介して洗い場３に排水される。従って柱材６は、枠部材５を支持する機能と共に、枠部材５の上面に浸入した水を洗い場３に円滑に導いて逃す排水機能も有している。
【００２６】
以上の処において、本発明の場合、枠部材５の上面は、壁載せ部５ａが一番高く形成されるのが好ましいが、浴槽２用の係合部５ｂと防水パン１用の係合部５ｃの高さの順序は、上例に限られず、例えば図７に示されるように、浴槽２用の係合部５ｂが防水パン１用の係合部５ｃより低い状態に、形成されているのでも良い。
【００２７】
而して本発明は、浴槽２の位置ずれを防止できるよう、図７に示されるように、浴槽２用の係合部５ｂに、浴槽２のフランジ部２ａの立ち下げ片２ｂの下端が嵌合する凹部５ｂ１が形成されているのが好ましい。
そしてこの場合、凹部５ｂ１は、同図に示されるように、係合部５ｂの壁載せ部５ａ側の垂直面に連ねられて形成されるのが良い。
なぜならこれによると、フランジ部２ａの立ち下げ片２ｂの外面を、上記の垂直面に密接させて立ち下げ片２ｂの下端を、凹部５ｂ１に嵌合させることができ、浴槽２と枠部材５との水密化や係合操作の容易化を図ることができるからである。
なお、図７の実施形態では浴槽２のフランジ部２ａの上面が、外側の位置で高く立ち上がっているが、図１Ｂ等の実施形態のように、浴槽２のフランジ部２ａの上面が略水平な面で形成される場合でも、同様の係合状態とすることができる。
【００２８】
また図７において、１０は、パッキン等の水密材である。この場合は、浴槽２のフランジ部２ａの重みで水密材１０が押し潰されて密着するため、防水パン１の囲い壁１ａの上端部と枠部材５との水密性が一層良くなるものである。
【図面の簡単な説明】
【００２９】
【図１】本発明の浴室ユニットの好適な一実施形態を示し、Ａは斜視図、Ｂは要部拡大斜視図である。
【図２】同上浴室ユニットの組立て時の分解斜視図である。
【図３】同上浴室ユニットの要部拡大斜視図である。
【図４】Ａは浴槽の一部を切欠した要部平面図、ＢはＡのＢ−Ｂ線断面図である。
【図５】同上浴室ユニットの要部斜視図である。
【図６】同上浴室ユニットの要部斜視図である。
【図７】同上浴室ユニットの他の実施形態を示す要部斜視図である。
【符号の説明】
【００３０】
１      防水パン
１ａ    囲い壁
２      浴槽
２ａ    フランジ部
２ｂ    立ち下げ片
３      洗い場
４      エプロン部材
５      枠部材
５ａ    壁載せ部
５ｂ    浴槽用の係合部
５ｃ    防水パン用の係合部
６      柱材
７      側壁パネル
【図１】
0005169271.tif 000002
【図２】
0005169271.tif 000003
【図３】
0005169271.tif 000004
【図４】
0005169271.tif 000005
【図５】
0005169271.tif 000006
【図６】
0005169271.tif 000007
【図７】
0005169271.tif 000008